(57)【要約】  電気コネクタ（１１０４）が、ハウジング（１１００）およびコネクタ位置保証（ＣＰＡ）要素（１１１８）を含む。ハウジングは、キャビティ（１１０６）内に相手コネクタを受け取る。ＣＰＡ要素は、延長位置と挿入位置との間で可動である。ＣＰＡ要素は、相手コネクタがキャビティ（１１０６）内へ装入されるとき、相手コネクタによって阻止位置から解放位置へ撓むビーム（１１９４）を含む。ＣＰＡ要素のビームが阻止位置にあるとき、延長位置から挿入位置へのＣＰＡ要素の動きは、ハウジングの突出部（１２３２）がビームに当接することによって機械的に阻止される。ＣＰＡ要素のビームが、相手コネクタによって解放位置へ動くとき、ビームは、突出部（１２３２）を通り越し、ＣＰＡ要素（１１１８）が延長位置から挿入位置へ動くことを可能にする。【選択図】図１２
2019509616.tif 000002
【特許請求の範囲】
【請求項１】
前端（１２８、１１２８）を有し、相手コネクタ（１０２、１１０２）を受け取るように構成されたキャビティ（１０６、１１０６）を前記前端に画定するハウジング（１１０、１１１０）であって、ハードストップ面（２３０、１２５０）を画定する第１の突出部（２３２、１２３２）を含むハウジングと、
前記ハウジングに取り付けられ、前記ハウジングに対して延長位置と挿入位置との間で可動であるコネクタ位置保証（ＣＰＡ）要素（１１８、１１１８）であって、前記ＣＰＡ要素（１１８、１１１８）は、前記挿入位置で、前記ＣＰＡ要素が前記延長位置にあるときより、前記ハウジングの前記前端に近接して配置され、前記ＣＰＡ要素は、ベース（１９０、１１９０）、および前記ベースから前記ハウジングの前記前端（１２８、１１２８）の方へ延びる第１のビーム（１９２、１１９２）を含み、前記第１のビームは、前記相手コネクタが前記キャビティ内へ装入されるとき、前記相手コネクタによって係合され、阻止位置から解放位置へ撓むように構成される、ＣＰＡ要素とを備え、
前記ＣＰＡ要素の前記第１のビームが前記阻止位置にあるとき、前記延長位置から前記挿入位置への前記ＣＰＡ要素の動きは、前記第１の突出部の前記ハードストップ面が前記ＣＰＡ要素の前記第１のビームに当接することによって機械的に阻止され、
前記ＣＰＡ要素の前記第１のビームが、前記相手コネクタによって前記解放位置へ動くとき、前記第１のビームは、前記第１の突出部の前記ハードストップ面を通り越し、前記ＣＰＡ要素が前記延長位置から前記挿入位置へ動くことを可能にする、
電気コネクタ（１０４、１１０４）。
【請求項２】
前記第１のビーム（１９２、１１９２）は、前記ＣＰＡ要素（１１８、１１１８）の前記ベース（１９０、１１９０）から前記第１のビームの遠位端（２００、１２００）へ延び、前記第１のビームの前記遠位端は、前記第１のビームが前記阻止位置にあるとき、前記第１の突出部（２３２、１２３２）の前記ハードストップ面（２３０、１２５０）に当接して、前記ＣＰＡ要素が前記延長位置から前記挿入位置へ動くことを阻止するように構成されている、請求項１に記載の電気コネクタ（１０４、１１０４）。
【請求項３】
前記ＣＰＡ要素（１１８、１１１８）は、前記ベース（１９０、１１９０）から延びて前記ハウジングのプラットホーム（１８０、１１８０）に係合する保持ラッチ（２１４、１２１４）を含み、前記保持ラッチは、前記延長位置にあるときは第１の戻り止め（２８０、１２８０）内に受け取られ、前記保持ラッチは、前記挿入位置にあるときは第２の戻り止め（２８２、１２８２）内に受け取られる、請求項１に記載の電気コネクタ（１０４、１１０４）。
【請求項４】
前記ハウジング（１１０、１１１０）の前記キャビティ（１０６、１１０６）は、前記相手コネクタ（１０２、１１０２）が嵌合軸（１１２、１１１２）に沿って前記キャビティ内へ装入されるように、前記嵌合軸に沿って方向付けられており、前記ＣＰＡ要素（１１８、１１１８）は、前記延長位置と前記挿入位置との間で前記嵌合軸に対して平行に可動であり、前記ＣＰＡ要素の前記第１のビーム（１９２、１１９２）は、前記嵌合軸に対して概して横方向に前記阻止位置から前記解放位置へ撓む、請求項１に記載の電気コネクタ（１０４、１１０４）。
【請求項５】
前記ＣＰＡ要素（１１８、１１１８）は、前記ベース（１９０、１１９０）から前記ハウジング（１１０、１１１０）の前記前端（１２８、１１２８）の方へ延びる第２のビーム（１９４、１１９４）をさらに含み、前記第１のビームおよび前記第２のビームは、間隙（１９６、１１９６）によって互いに隔置され、前記相手コネクタ（１０２、１１０２）のタブ（１２４、１１２４）が、前記相手コネクタが前記キャビティ（１０６、１１０６）内に受け取られるとき、前記間隙内へ少なくとも部分的に受け取られるように構成され、前記タブは、前記第１のビームおよび前記第２のビームに係合して、前記第１のビームおよび前記第２のビームを横方向外方へ互いに離れる方に撓ませる、請求項１に記載の電気コネクタ（１０４、１１０４）。
【請求項６】
前記第１のビーム（１９２）は、前記第１のビームの長さに沿って前記第１のビームの遠位端（２００）から前記ＣＰＡ要素（１１８）の前記ベース（１９０）の方へ延びるスロット（２２２）を含み、前記遠位端は、前記スロットへの開口（２２６）を画定し、前記開口は、前記第１のビームが前記阻止位置にあるときは前記第１の突出部（２３２）と位置合わせされず、前記開口は、前記第１のビームが前記解放位置にあるときは前記第１の突出部と位置合わせされ、したがって前記第１の突出部は、前記ＣＰＡ要素が前記挿入位置の方へ動くとき、前記開口を通って前記スロット内に受け取られる、請求項１に記載の電気コネクタ（１０４）。
【請求項７】
前記ハウジング（１１０、１１１０）は、前記キャビティ（１０６、１１０６）を画定する本体（１７８、１１７８）と、支柱（１３６、１１３６）の周りで前記本体に対して旋回可能である結合レバー（１２０、１１２０）とをさらに含み、前記結合レバーは、前記相手コネクタが完全嵌合位置にあるとき、前記相手コネクタ（１０２、１１０２）のキャッチ（１２２、１１２２）に係合して、前記相手コネクタを前記ハウジングに固定する掛止面（１２１、１１２１）を含んでいる、請求項１に記載の電気コネクタ（１０４、１１０４）。
【請求項８】
前記ＣＰＡ要素（１１８、１１１８）は、前記結合レバー（１２０、１１２０）と前記ハウジング（１１０、１１１０）の前記本体（１７８、１１７８）のプラットホーム（１８０、１１８０）との間に配置され、前記ＣＰＡ要素は、前記プラットホームに沿って前記延長位置と前記挿入位置との間で摺動可能であり、前記第１のビーム（１９２、１１９２）は、前記阻止位置および前記解放位置の両方で前記プラットホームに係合する、請求項７に記載の電気コネクタ（１０４、１１０４）。
【請求項９】
前記ハウジング（１１０、１１１０）は、前記キャビティ（１０６、１１０６）を少なくとも部分的に画定するプラットホーム（１８０、１１８０）を含み、前記ＣＰＡ要素（１１８、１１１８）は、前記プラットホームに沿って摺動可能であり、前記第１の突出部（２３２、１２３２）は、前記プラットホームから垂直方向上方へ延びるポストである、請求項１に記載の電気コネクタ（１０４、１１０４）。
【請求項１０】
前記第１のビーム（１９２、１１９２）の遠位端（２００、１２００）は、平坦であり、前記阻止位置で前記第１の突出部（２３２、１２３２）に当接する、請求項１に記載の電気コネクタ（１０４、１１０４）。
【請求項１１】
前記第１のビーム（１９２、１１９２）は、前記第１のビームをプラットホーム（１８０、１１８０）に対して予圧するように捩じれている、請求項１に記載の電気コネクタ（１０４、１１０４）。
【請求項１２】
前記第１のビーム（１９２、１１９２）は、前記第１のビームを下方へ動かす内部予圧力を含んでいる、請求項１に記載の電気コネクタ（１０４、１１０４）。
【請求項１３】
前記第１のビーム（１９２、１１９２）は、第１のアーム（１９８、１１９８）と、前記第１のビームの遠位端（２００、１２００）に位置する第１のフィンガ（２０６、１２０６）とを有し、前記遠位端は、前記第１の突出部（２３２、１２３２）の前記ハードストップ面（２３０、１２３０）に当接するように構成され、前記第１のフィンガは、前記キャビティ（１０６、１１０６）内に受け取られたときは前記相手コネクタ（１０２、１１０２）によって係合され、前記相手コネクタが前記キャビティ内へ装入されたときは前記阻止位置から前記解放位置へ撓む、請求項１に記載の電気コネクタ（１０４、１１０４）。
【請求項１４】
前記第１のフィンガ（２０６）のスロット（２２２）が、前記第１の突出部（２３２）と位置合わせされ、前記解放位置で前記第１の突出部を受け取り、前記第１のフィンガの前記遠位端（２００）が前記第１の突出部を越えて前記延長位置から前記挿入位置へ動くことを可能にする、請求項１３に記載の電気コネクタ（１０４）。
【請求項１５】
前記第１のフィンガ（１２０６）の先端（１２０８）が、前記第１の突出部（１２３２）の外側を前記解放位置へ撓み、前記先端は、前記第１の突出部を通り越して、前記ＣＰＡ要素（１１１８）が前記延長位置から前記挿入位置へ動くことを可能にする、請求項１３に記載の電気コネクタ（１１０４）。
【請求項１６】
前記第１のフィンガ（１２０６）は、前記ＣＰＡ要素（１１１８）が前記延長位置と前記挿入位置との間で動くとき、前記第１の突出部（１２３２）の外側を完全に進む、請求項１３に記載の電気コネクタ（１１０４）。
【請求項１７】
前記第１の突出部（１２３２）は、前縁部（１２３８）、後縁部（１２４０）、内縁部（１２４２）、および外縁部（１２４４）を含み、前記第１のフィンガ（１２０６）は、前記阻止位置で前記後縁部に当接し、前記第１のフィンガは、前記ＣＰＡ要素（１１１８）が前記延長位置と前記挿入位置との間で動くとき、前記外縁部に沿って進む、請求項１３に記載の電気コネクタ（１１０４）。
【発明の詳細な説明】
【技術分野】
【０００１】
本明細書の主題は、一般に、コネクタシステムに関し、より詳細には、コネクタ位置保証を提供するコネクタシステムに関する。いくつかのコネクタシステムでは、第１のコネクタと第２のコネクタとを互いに固定するために、第１のコネクタを第２のコネクタに嵌合する際に結合機構が使用される。第１のコネクタおよび第２のコネクタは、コネクタを引き離して、互いに嵌合された際にコネクタ間に形成された導電経路を破断しようとする力にコネクタシステムが耐えられることを確実にするように、互いに固定される。いくつかの実施形態では、結合機構は、２つのコネクタが完全に嵌合されたときに相手コネクタのキャッチに係合する一方のコネクタのラッチによって画定される。
【背景技術】
【０００２】
コネクタシステムに関する１つの問題は、コネクタが意図せず結合解除または嵌合解除され、コネクタ間の導電信号経路が破断されることによって、動作エラーが生じる可能性があることである。コネクタは、たとえばコネクタが組立て中に完全嵌合接続を実現せず、したがって一方のコネクタのラッチが他方のコネクタのキャッチに適切に係合しないことによって、嵌合解除される可能性がある。コネクタの意図しない嵌合解除の別の起こりうる原因は、２つのコネクタが完全に嵌合した後にラッチがキャッチから解放されることであり、これによりコネクタは嵌合解除することが可能になる。ラッチは、外部の物体からラッチに力が作用することによって、キャッチから解放される可能性がある。
【０００３】
コネクタシステムは、自動車などの複雑な製品で使用される可能性がある。コネクタシステム内の２つのコネクタが、自動車の組立て中または後に互いに嵌合解除された場合、導電経路の破断によって引き起こされるエラーは、発見および／または修復するのが困難な可能性がある。たとえば、多数の接続を含む自動車内で、２つのコネクタ間に障害のある接続を識別してそこにアクセスするのは困難な可能性がある。
【発明の概要】
【発明が解決しようとする課題】
【０００４】
サイズが小さいことおよび導体が遮蔽されていることなどの物理的な特徴によって、作業者（またはさらには機械）が、組立て施設において、２つの相手コネクタが互いに完全に嵌合されているかどうかを正確に認識することは困難な可能性がある。たとえば、互いに完全に嵌合されていない２つのコネクタは、コネクタの完全嵌合位置から１ミリメートル未満（または数ミリメートル）だけずれている可能性があり、これは作業者および／または機械が識別するのは困難な可能性がある。コネクタによって画定される導電経路の破断によって引き起こされるエラーを回避するために、２つのコネクタが互いに完全に嵌合されており、互いに意図せず嵌合解除されることがないという保証を提供するコネクタシステムが、依然として必要とされている。
【課題を解決するための手段】
【０００５】
解決策は、ハウジングおよびコネクタ位置保証（ＣＰＡ）要素を含む本明細書に開示の電気コネクタによって提供される。ハウジングは、前端を有し、相手コネクタを受け取るように構成されたキャビティを前端に画定する。ハウジングは、ハードストップ面を画定する第１の突出部を含む。ＣＰＡ要素は、ハウジングに取り付けられ、ハウジングに対して延長位置と挿入位置との間で可動である。ＣＰＡ要素は、挿入位置にあるとき、ＣＰＡ要素が延長位置にあるときより、ハウジングの前端に近接して配置される。ＣＰＡ要素は、ベースと、ベースからハウジングの前端の方へ延びる第１のビームとを含む。第１のビームは、相手コネクタがキャビティ内へ装入されるとき、相手コネクタによって係合され、阻止位置から解放位置へ撓むように構成される。
ＣＰＡ要素の第１のビームが阻止位置にあるとき、延長位置から挿入位置へのＣＰＡ要素の動きは、第１の突出部のハードストップ面がＣＰＡ要素の第１のビームに当接することによって機械的に阻止される。ＣＰＡ要素の第１のビームが、相手コネクタによって解放位置へ動くとき、第１のビームは、第１の突出部のハードストップ面を通り越し、ＣＰＡ要素が延長位置から挿入位置へ動くことを可能にする。
【０００６】
以下、本発明について、添付の図面を参照して例として説明する。
【図面の簡単な説明】
【０００７】
【図１】一実施形態によって形成されたコネクタシステムの斜視図である。
【図２】一実施形態によるコネクタシステムのメスコネクタの部分分解図である。
【図３】一実施形態によるメスコネクタのＣＰＡ要素の底面斜視図である。
【図４】一実施形態による組み立てられた状態にあるメスコネクタの上面斜視図である。
【図５】図４に示すメスコネクタの一部分の拡大斜視図である。
【図６】ＣＰＡ要素が延長位置にあるときの一実施形態による図２に示す線１−１に沿って切り取ったメスコネクタの組み立てられたハウジングアセンブリの断面図である。
【図７】一実施形態によるオスコネクタおよびメスコネクタの完全嵌合状態にあるコネクタシステムの一部分の斜視図である。
【図８】ＣＰＡ要素が挿入位置にある、オスコネクタおよびメスコネクタの完全嵌合状態にあるコネクタシステムの一部分の斜視図である。
【図９】ＣＰＡ要素が挿入位置にある、メスコネクタのハウジングアセンブリの一部分の断面図である。
【図１０】一実施形態によって形成されたコネクタシステムの斜視図である。
【図１１】一実施形態によるコネクタシステムの電気コネクタの部分分解図である。
【図１２】一実施形態による組み立てられた状態にある電気コネクタの上面斜視部分断面図である。
【図１３】電気コネクタの一部分の正面図である。
【図１４】コネクタシステムの斜視部分断面図である。
【図１５】完全嵌合状態にあるコネクタシステムの一部分の拡大部分断面図である。
【図１６】延長位置にあるＣＰＡ要素を示す、完全嵌合状態にあるコネクタシステムの斜視図である。
【図１７】延長位置にあるＣＰＡ要素を示す、完全嵌合状態にあるコネクタシステムの一部分の側面図である。
【図１８】挿入位置にあるＣＰＡ要素を示す、完全嵌合状態にあるコネクタシステムの斜視図である。
【図１９】挿入位置にあるＣＰＡ要素を示す、完全嵌合状態にあるコネクタシステムの一部分の側面図である。
【図２０Ａ】図２０Ａ〜２０Ｆは、例示的な実施形態によるＣＰＡ要素を延長位置から挿入位置へ動かす挿入シーケンスを示す図である。
【図２０Ｂ】図２０Ａ〜２０Ｆは、例示的な実施形態によるＣＰＡ要素を延長位置から挿入位置へ動かす挿入シーケンスを示す図である。
【図２０Ｃ】図２０Ａ〜２０Ｆは、例示的な実施形態によるＣＰＡ要素を延長位置から挿入位置へ動かす挿入シーケンスを示す図である。
【図２０Ｄ】図２０Ａ〜２０Ｆは、例示的な実施形態によるＣＰＡ要素を延長位置から挿入位置へ動かす挿入シーケンスを示す図である。
【図２０Ｅ】図２０Ａ〜２０Ｆは、例示的な実施形態によるＣＰＡ要素を延長位置から挿入位置へ動かす挿入シーケンスを示す図である。
【図２０Ｆ】図２０Ａ〜２０Ｆは、例示的な実施形態によるＣＰＡ要素を延長位置から挿入位置へ動かす挿入シーケンスを示す図である。
【発明を実施するための形態】
【０００８】
本明細書に記載する１つまたは複数の実施形態は、コネクタ位置保証（ＣＰＡ）レバーを含む電気コネクタを有するコネクタシステムを提供する。ＣＰＡ要素は、延長位置と挿入位置との間で可動である。たとえば、ＣＰＡ要素は、延長位置と挿入位置との間で前後に動かすことができる。挿入位置で、ＣＰＡ要素は、ＣＰＡ要素が延長位置にあるときより、電気コネクタの前方嵌合端に近接することができる。本明細書に記載する実施形態では、ＣＰＡ要素は、相手電気コネクタが電気コネクタのハウジングに対して完全嵌合位置に到達したことに応答したときのみ、延長位置から挿入位置へ可動になるように構成される。したがって、ＣＰＡ要素は、相手電気コネクタが電気コネクタと完全に嵌合されるまで、挿入位置へ動くことが制限される。
相手コネクタが、電気コネクタのハウジングに対して完全嵌合位置に着いた後、ＣＰＡ要素は、挿入位置へ動くことが制限解除されまたは可能にされる。ＣＰＡ要素は、ＣＰＡ要素を挿入位置に向かう方向へ押したり引いたりする人間の操作者またはロボット機械によって動かすことができる。ＣＰＡ要素は、コネクタシステムを組み立てる操作者またはロボット機械に感覚（たとえば、触覚、視覚、聴覚など）フィードバックを提供することによって、電気コネクタが互いに完全に嵌合されていることを検証するために使用されるコネクタ位置保証機構である。したがって、相手コネクタが電気コネクタのハウジング内へ装入された後、ＣＰＡ要素が挿入位置へ動くのを操作者が見、感じ、かつ／または聞いたとき、相手コネクタが電気コネクタに対して完全に装着されたという保証が操作者に提供される。
【０００９】
一実施形態では、ＣＰＡ要素はまた、電気コネクタに相手コネクタを結合する結合機構を支持する２次ロック機構を提供する。たとえば、電気コネクタは、支柱の周りで旋回する結合レバーを含むことができる。結合レバーは、相手コネクタが完全に装着されたときに相手コネクタのキャッチに係合してコネクタを嵌合および／または結合状態で保持するように構成された掛止面を、支柱の一方の側に含む。ＣＰＡ要素が挿入位置へ動かされたとき（コネクタが嵌合されているときのみに行われる）、ＣＰＡ要素の位置決めにより、掛止面を相手コネクタのキャッチから係合解除するはずの結合レバーの旋回を制限および／または防止することができる。したがって、ＣＰＡ要素が挿入位置にあるとき、ＣＰＡ要素は、結合機構を支持し、相手コネクタが電気コネクタから嵌合解除または結合解除される可能性を防止し、または少なくとも抑制する。一実施形態では、ＣＰＡ要素は、挿入位置から延長位置へ動かされると、結合レバーを相手コネクタのキャッチから切り離し、コネクタを嵌合解除することを可能にするように構成される。
【００１０】
図１は、一実施形態によって形成されたコネクタシステム１００の斜視図である。コネクタシステム１００は、第１の電気コネクタ１０２および第２の電気コネクタ１０４を含む。図示の実施形態では、第１の電気コネクタ１０２はオスコネクタであり、第２の電気コネクタ１０４はメスコネクタであり、したがって嵌合動作中、第１の電気コネクタ１０２の一部分が、第２の電気コネクタ１０４のキャビティ１０６内に受け取られる。より具体的には、第１のコネクタ１０２のオスハウジング１０８の一部分（たとえば、ノーズコーン）が、第２のコネクタ１０４のメスハウジング１１０によって画定されたキャビティ１０６内に受け取られる。図１では嵌合解除された状態で示されているが、第１のコネクタ１０２および第２のコネクタ１０４は、嵌合軸１１２に沿って嵌合することができる状態である。本明細書では、第１の電気コネクタ１０２をオスコネクタ１０２または相手コネクタ１０２と呼び、第２の電気コネクタ１０４をメスコネクタ１０４または単にコネクタ１０４と呼ぶ。
【００１１】
コネクタシステム１００は、自動車業界、家庭用電気機器業界、航空機業界などの様々な業界にわたって多数の適用分野で、２つ以上のデバイスおよび／または電気構成要素を電気的に結合するために使用することができる。たとえば、自動車業界では、電気コネクタ１０２、１０４は、無線周波通信のために、アンテナをコントローラおよび／または処理デバイスに電気的に接続するためなどに使用することができる。
【００１２】
オスコネクタ１０２およびメスコネクタ１０４はそれぞれ、異なる電気構成要素に電気的に接続されて、対応する電気構成要素間に導電経路を提供する。図示の実施形態では、オスコネクタ１０２およびメスコネクタ１０４は、同軸ケーブルなどの対応する導電ケーブルまたはワイヤ１１４、１１６に電気的に接続される。代替実施形態では、オスコネクタ１０２および／またはメスコネクタ１０４は、対応する回路基板に取り付けることができる（たとえば、エッジマウント）。ケーブル１１４は、オスコネクタ１０２の電気コンタクト（図示せず）に電気的に終端される（たとえば、圧着、はんだ付けなど）。ケーブル１１６は、メスコネクタ１０４の電気コンタクト（たとえば、中心コンタクト１５０および外側コンタクト１５２）に電気的に終端される。オスコネクタ１０２の電気コンタクトは、コネクタ１０２、１０４が嵌合されるとき、メスコネクタ１０４の電気コンタクト１５０、１５２に係合する。コネクタ１０２、１０４を通ってケーブル１１４とケーブル１１６との間で、電力、制御メッセージ、データなどを伝える様々な電気信号を伝送することができる。
【００１３】
図示の実施形態では、オスコネクタ１０２およびメスコネクタ１０４はどちらも、一列に並んだ形状を有する。たとえば、オスコネクタ１０２がキャビティ１０６内へ装入される嵌合軸１１２は、オスコネクタ１０２から出るケーブル１１４およびメスコネクタ１０４から出るケーブル１１６の向きに対して略平行である。代替実施形態では、オスコネクタ１０２および／またはメスコネクタ１０４は、直角または他の角度の形状を有することもできる。
【００１４】
メスコネクタ１０４のメスハウジング１１０は、前端１２８と後端１３０との間に延びる。前端１２８は、オスコネクタ１０２の方を向いている嵌合端である。キャビティ１０６は、メスハウジング１１０を通って前端１２８と後端１３０との間に少なくとも部分的に延びる。キャビティ１０６は、前端１２８で開いている。メスコネクタ１０４は、メスハウジング１１０に取り付けられたＣＰＡ要素１１８を含む。ＣＰＡ要素１１８は、キャビティ１０６内にまたはキャビティ１０６と一列に並んで位置するのではなく、キャビティ１０６の径方向外方に配置される。メスコネクタ１０４の図示の向きで、ＣＰＡ要素１１８は、キャビティ１０６の上に配置されている。ＣＰＡ要素１１８は、メスハウジング１１０に対して延長位置と挿入位置との間で可動である。図１で、ＣＰＡ要素１１８は延長位置にある。
ＣＰＡ要素１１８は、作動経路内で延長位置と挿入位置との間を線形に動くように構成される。一実施形態では、ＣＰＡ要素１１８の作動経路は、嵌合軸１１２に対して平行である。挿入位置では、ＣＰＡ要素１１８は、ＣＰＡ要素１１８が延長位置にあるときより、メスハウジング１１０の前端１２８に近接している。ＣＰＡ要素１１８は、オスコネクタ１０２がメスコネクタ１０４に対して完全嵌合位置にある（または実質上近接している）ときのみ、延長位置から挿入位置へ可動になるように構成されるため、ＣＰＡ要素１１８は、オスコネクタ１０２およびメスコネクタ１０４が互いに適切に嵌合されているかどうかを示すコネクタ位置保証を提供する。
本明細書では、オスコネクタ１０２の完全嵌合位置は、オスコネクタ１０２がメスコネクタ１０４に適切に電気的に接続され、結合機構がロックされて、オスコネクタ１０２およびメスコネクタ１０４が結合状態で保持される適切な嵌合位置を指す。したがって、オスコネクタ１０２がメスコネクタ１０４のキャビティ１０６内に完全に装着されていない場合、ＣＰＡ要素１１８は、延長位置から挿入位置へ動くことが阻止される。
【００１５】
メスハウジング１１０は、結合レバー１２０を含む。結合レバー１２０は、ハウジング１１０に取り付けられており、ハウジング１１０に対して支柱１３６の周りで旋回可能である。結合レバー１２０は、メスコネクタ１０４をオスコネクタ１０２に選択的にロックするメスコネクタ１０４の結合機構を画定する。たとえば、結合レバー１２０は、オスコネクタ１０２のキャッチ１２２に係合してメスハウジング１１０をオスハウジング１０８に固定するように構成された掛止面１２１を含む。掛止面１２１とキャッチ１２２との間の係合は、通常の使用に付随するコネクタ１０２、１０４を引き離す力を吸収してそれに耐えるように設計される。結合レバー１２０は、キャビティ１０６に対して径方向外方へ旋回するように構成される。
結合レバー１２０は、オスコネクタ１０２がキャビティ１０６内へ装入されるとき、オスハウジング１０８との係合に応答して旋回することができ、それにより掛止面１２１に近接している結合レバー１２０の第１の端部１５４が持ち上げられる。追加または別法として、結合レバー１２０は、以下でより詳細に説明するように、結合レバー１２０のボタン区分１４５の押下によって旋回することができる。ボタン区分１４５は、結合レバー１２０の反対側の第２の端部１５６に近接して配置され、支柱１３６は、掛止面１２１とボタン区分１４５との間に配置される。
【００１６】
オスハウジング１０８は、嵌合端１３２と後端１３４との間に延びる。オスハウジング１０８は、嵌合端１３２はキャビティ１０６内に受け取られるが、後端１３４はキャビティ１０６に入らないように、キャビティ１０６内に装入される。図示の実施形態では、オスハウジング１０８は、略円筒形の形状を有するノーズコーン１０９を含む。ノーズコーン１０９は、ノーズコーン１０９の外面１２６から突出するタブ１２４を含む。タブ１２４は、結合レバー１２０に係合するように構成される。タブ１２４は、キャッチ１２２を画定する。キャッチ１２２は、ハウジング１０８の後端１３４の方を向いているタブ１２４の背面である。タブ１２４は、オスコネクタ１０２が装着されるとき、結合レバー１２０を旋回させることができる。
たとえば、タブ１２４の頂面１３８は、オスコネクタ１０２が嵌合軸１１２に沿って完全装着位置の方へ動くとき、結合レバー１２０に係合して結合レバー１２０の旋回を徐々に増大させる斜面１４０を画定することができる。完全装着位置で、タブ１２４のキャッチ１２２は、メスハウジング１１０の掛止面１２１に係合して、オスコネクタ１０２をメスコネクタ１０４に固定する。ノーズコーン１０９は、任意選択で、外面１２６から突出する少なくとも１つのキー突条１４２を含むことができる。各キー突条１４２は、キャビティ１０６の周辺部に沿って位置する対応するキー溝１４４内に受け取られて、嵌合中にノーズコーン１０９がメスハウジング１１０と適切に位置合わせされることを確実にするように構成される。
【００１７】
任意選択で、コネクタシステム１００内のオスコネクタ１０２およびメスコネクタ１０４は、ＦＡＫＲＡ標準コネクタなどの標準化されたコネクタとすることができる。ＦＡＫＲＡは、ドイツ標準化機構内の自動車標準化委員会であり、自動車分野における国際標準化の利益を代表する。ＦＡＫＲＡ標準は、適切なコネクタの取付けのためのキーイングおよび色コーディングに基づくシステムを提供する。たとえば、オスハウジング１０８のキー突条１４２およびメスハウジング１１０のキー溝１４４は、各コネクタ１０２、１０４と１つまたは複数の特有の相手コネクタとの嵌合性を制限するように所望のＦＡＫＲＡ使用に従って設計された機構とすることができる。
【００１８】
図２は、一実施形態によるメスコネクタ１０４の部分分解図である。メスコネクタ１０４は、ハウジングアセンブリ１４６およびコンタクトアセンブリ１４８を含む。図示の実施形態では、ハウジングアセンブリ１４６は分解されており、コンタクトアセンブリ１４８はそのままである。ハウジングアセンブリ１４６は、メスハウジング１１０、ＣＰＡ要素１１８、および保持クリップ１６２を含む。保持クリップ１６２は任意選択である。図示の実施形態では、ハウジング１１０は、単一の一体化された構成要素である。代替実施形態では、ハウジング１１０は、結合レバー１２０を含む上部ハウジング部材およびキャビティ１０６を画定する下部ハウジング部材など、複数の個別の部材からなるアセンブリとすることができる。
【００１９】
コンタクトアセンブリ１４８は、中心コンタクト１５０と、中心コンタクト１５０を取り囲む誘電体１５１と、誘電体１５１を取り囲む外側コンタクト１５２とを含む同軸コンタクトアセンブリとすることができる。誘電体１５１は、中心コンタクトと外側コンタクト１５２との間に電気的絶縁を提供する。コンタクトアセンブリ１４８は、ケーブル１１６の外側ジャケット１６０の周りに圧着されたフェルール１５８によって、ケーブル１１６に終端される。フェルール１５８はまた、ケーブル１１６のケーブル編組１６１の周りに圧着することもできる。コンタクトアセンブリ１４８はまた、外側コンタクト１５２を取り囲むキャビティインサート１６４を含む。キャビティインサート１６４は、外側コンタクト１５２に対する電気的絶縁を提供するために、誘電体材料から構成される。キャビティインサート１６４はまた、コンタクトアセンブリ１４８をハウジング１１０に対して定位置で固定するために、キャビティ１０６の内側でハウジング１１０と境界面を接するように構成される。
【００２０】
コネクタ１０４は、後端１３０を通ってコンタクトアセンブリ１４８をメスハウジング１１０のキャビティ１０６内へ挿入することによって組み立てられる。コンタクトアセンブリ１４８の接触区分１６７は、キャビティインサート１６４からケーブル１１６に対するコンタクトアセンブリ１４８の遠位端１６６へ延びる。接触区分１６７は、中心コンタクト１５０、誘電体１５１、および外側コンタクト１５２のうち、オスコネクタ１０２がキャビティ１０６内へ完全に装入されるときにオスコネクタ１０２（図１に示す）の対応する構成要素に係合してコネクタ１０２、１０４を電気的に接続するように構成された区分を含む。
【００２１】
任意選択の保持クリップ１６２は、ハウジング１１０の側面開口１７１を通ってメスハウジング１１０内へ挿入することができる。保持クリップ１６２は、コンタクトアセンブリ１４８に続いて、コンタクトアセンブリ１４８をハウジング１１０に固定するために、ハウジング１１０内に装入されるように構成される。たとえば、保持クリップ１６２の脚部１６８は、キャビティインサート１６４の１つまたは複数のフランジ１６９に係合して、キャビティ１０６内でコンタクトアセンブリ１４８の軸方向位置を固定することができる。
【００２２】
ハウジング１１０およびＣＰＡ要素１１８の構成および詳細は、以下で個々に説明する。これらの構成要素の相互操作性は、後続の図を参照して説明する。一実施形態では、ハウジング１１０およびＣＰＡ要素１１８は、プラスチックなどの１つまたは複数の誘電体材料から構成される。ハウジング１１０およびＣＰＡ要素１１８は、電気絶縁性である。ハウジング１１０およびＣＰＡ要素１１８の１つまたは複数の誘電体材料は、同じである必要はない。ハウジング１１０およびＣＰＡ要素１１８は、射出成形などの成形プロセスを介して形成することができる。代替実施形態では、ハウジング１１０および／またはＣＰＡ要素１１８は、少なくとも部分的に導電性金属材料から形成することができる。
【００２３】
メスハウジング１１０は、結合レバー１２０と、キャビティ１０６を画定する本体１７８とを含む。本体１７８は、底壁１７０と、第１の側壁１７２と、反対側の第２の側壁１７４とを含む。底壁１７０とは反対側のハウジング１１０の頂端１７６は、少なくとも部分的に開いている。本明細書では、「上」、「下」、「前」、「後」、「第１」、および「第２」などの相対的または空間的な用語は、メスコネクタ１０４の参照する要素を区別するためだけに使用されており、重力の方向および／またはオスコネクタ１０２（図１に示す）を含むメスコネクタ１０４の周囲環境に対する特定の位置または向きを必要とするものではない。底壁１７０、第１の側壁１７２、および第２の側壁１７４はすべて、キャビティ１０６のそれぞれの部分を画定する。
ハウジング１１０の本体１７８は、キャビティ１０６を少なくとも部分的に画定するプラットホーム１８０をさらに含む。プラットホーム１８０は、キャビティ１０６とハウジング１１０の頂端１７６との間に配置される。プラットホーム１８０は、頂面１８４および底面１８６を含む。頂面１８４は、ハウジング１１０の頂端１７６の方を向いており、底面１８６は、キャビティ１０６の一部分を画定する。図示の実施形態では、プラットホーム１８０は、プラットホーム１８０を通って頂面１８４と底面１８６との間に延びるチャネル１８２を画定する。チャネル１８２は、ハウジング１１０の前端１２８から長手方向後方へ延びる。チャネル１８２は、オスハウジング１０８がキャビティ１０６に入ったとき、オスハウジング１０８（図１）のタブ１２４（図１に示す）を収容するように構成される。
【００２４】
結合レバー１２０は、プラットホーム１８０とハウジング１１０の頂端１７６との間に配置される。結合レバー１２０は、支柱１３６を介してハウジング１１０に取り付けられる。図示の実施形態では、支柱１３６は、円筒形の棒であるが、他の実施形態では、支柱１３６は、他の形状を有することができる。支柱１３６は、ハウジング１１０の側壁１７２、１７４間に延び、側壁１７２、１７４に取り付けられる。支柱１３６は、プラットホーム１８０から隔置された場所において、プラットホーム１８０とハウジング１１０の頂端１７６との間で、側壁１７２、１７４に取り付けられる。任意選択で、側壁１７２、１７４間に完全に延びる単一の棒である代わりに、支柱１３６は、結合レバー１２０から第１の側壁１７２へ延びる第１の棒と、結合レバー１２０から第２の側壁１７４へ延びる第２の棒とを含むことができる。
一実施形態では、結合レバー１２０は、プラットホーム１８０から隔置されており、プラットホーム１８０に係合しない。結合レバー１２０は、長さにわたってハウジング１１０に沿って前端１２８と後端１３０との間に延びる。たとえば、結合レバー１２０の第１の端部１５４は、前端１２８に近接しており、結合レバー１２０の第２の端部１５６は、後端１３０に近接している。
【００２５】
結合レバー１２０は、頂面２０２と、反対側の底面２０４とを有する。底面２０４は、キャビティ１０６の方を向いている。結合レバー１２０は、任意選択で、結合レバー１２０を通って頂面２０２と底面２０４との間に延びるインジケータ窓１８８を画定する。インジケータ窓１８８は、ＣＰＡ要素１１８が挿入位置にあるか否かを判定するために使用することができる。たとえば、ＣＰＡ要素１１８は、ＣＰＡ要素１１８が挿入位置にあるときは、インジケータ窓１８８を通して見ることができるが、ＣＰＡ要素１１８が延長位置にあるとき、または延長位置と挿入位置との間の中間位置にあるときは、窓１８８を通して見ることができない。
【００２６】
ＣＰＡ要素１１８は、ベース１９０と、ベース１９０から延びる第１のビーム１９２および第２のビーム１９４とを含む。図示の実施形態では、２つのビーム１９２、１９４が示されているが、他の実施形態では、ＣＰＡ要素１１８は、１つのビームのみまたは３つ以上のビームを含むこともできる。ベース１９０は、１つまたは複数の段が付けられた表面を有することができる隆起部２１０を含む。隆起部２１０は、操作者がＣＰＡ要素１１８を延長位置と挿入位置との間で動かすためにＣＰＡ要素１１８を把持または他の形でつかむための接触場所を提供する球状のつまみのような接触部分２１１を含むことができる。図示の実施形態では、ベース１９０は、隆起部２１０とビーム１９２、１９４との間に延びる中間部２１２をさらに含み、したがってビーム１９２、１９４は、中間部２１２から延びる。中間部２１２は、隆起部２１０に対して低減された高さを有する。任意選択で、中間部２１２の少なくとも大部分は平面である。
【００２７】
第１のビーム１９２および第２のビーム１９４は、互いに対して平行に、ベース１９０から概略的に同じ方向に延びる。ビーム１９２、１９４は、互いに隔置され、互いの間に横方向の間隙１９６を画定する。ビーム１９２、１９４は、互いを鏡のように反映した同一または少なくとも類似の形状を有する。たとえば、ビーム１９２、１９４はそれぞれ、ベース１９０からそれぞれのビーム１９２、１９４の遠位端２００へ延びるアーム１９８を含む。アーム１９８は、平面とすることができる。たとえば、各アームは、２つの両側の広い平面と、これらの平面間に延びる２つの縁面とを含むことができる。ビーム１９２、１９４は、広い平面に対して平行である面に沿って撓むように構成される。一実施形態では、両方のビーム１９２、１９４のうちの少なくとも一部分は、他方のビーム１９２、１９４の方へ延びる。
たとえば、図示の実施形態では、各ビーム１９２、１９４は、それぞれのアーム１９８の内縁面２０８から突出するフィンガ２０６を含む。ビーム１９２、１９４のフィンガ２０６は、遠位端２００に近接して位置することができる。フィンガ２０６は、様々なサイズおよび／または形状の突出部とすることができる。たとえば、フィンガ２０６は、湾曲したまたは線形の表面を有する突起、返し、リップ、レッジ、戻り止めなどとすることができる。第１のビーム１９２のフィンガ２０６は、間隙１９６を横切って第２のビーム１９４のフィンガ２０６の方へ延びる。したがって、第１のビーム１９２と第２のビーム１９４との間の間隙１９６の幅は、フィンガ２０６から隔置された場所におけるアーム１９８間の間隙１９６の幅に対して、フィンガ２０６間で低減される。
【００２８】
一実施形態では、ＣＰＡ要素１１８はまた、側面保持ラッチ２１４を含む。側面保持ラッチ２１４は、片持ちビーム式であり、ベース１９０の中間部２１２から横方向外方へ延びる。一方の側面保持ラッチ２１４は、ＣＰＡ要素１１８の左側２１６から延び、他方の側面保持ラッチ２１４は、ＣＰＡ要素１１８の反対の右側２１８から延びる。保持ラッチ２１４は、メスハウジング１１０に係合してＣＰＡ要素１１８をハウジング１１０で保持するように構成される。
【００２９】
図３は、一実施形態によるＣＰＡ要素１１８の底面斜視図である。ＣＰＡ要素１１８は、その底面２２０に沿って実質上平面である。たとえば、ＣＰＡ要素１１８は、プラットホーム１８０（図２）の頂面１８４（図２に示す）に係合し、延長位置と挿入位置との間の作動経路に沿って、頂面１８４に沿って摺動するように構成することができる。一実施形態では、第１のビーム１９２および第２のビーム１９４はそれぞれ、それぞれのビーム１９２、１９４の長さに沿って遠位端２００からベース１９０の方へ延びるスロット２２２を画定する。スロット２２２は、底面２２０に沿って開いているが、ＣＰＡ要素１１８の反対の頂面２２４からは閉じている。別法として、スロット２２２は、頂面２２４および底面２２０の両方に沿って開くこともできる。
遠位端２００は、それぞれのスロット２２２に対する開口２２６を画定する。後述するように、スロット２２２はそれぞれ、ＣＰＡ要素１１８が延長位置から挿入位置へ動くとき、メスハウジング１１０（図１）の対応する突出部２３２（図４に示す）を受け取るように構成される。代替実施形態では、ビーム１９２、１９４の一方のみが、スロット２２２を含む。別の代替実施形態では、ビーム１９２、１９４はどちらも、スロット２２２を画定しない。
【００３０】
図４は、一実施形態による組み立てられた状態にあるメスコネクタ１０４の上面斜視図である。コンタクトアセンブリ１４８は、ハウジングアセンブリ１４６のキャビティ１０６内に装入されている。図４で、メスハウジング１１０は、図２に示す線１−１および２−２に沿って断面が示されている。ＣＰＡ要素１１８および保持クリップ１６２はどちらも、ハウジング１１０に取り付けられている。メスコネクタ１０４は、垂直または仰角軸１９１、横軸１９３、および嵌合軸１１２に対して方向付けられている。軸１９１、１９３、１１２は、相互に直交している。仰角軸１９１が、重力に対して略平行に延びているように見えるが、軸１９１、１９３、１１２は、重力に対していかなる特定の向きも有する必要がないことが理解される。
【００３１】
図示の実施形態では、ＣＰＡ要素１１８は延長位置に位置する。ＣＰＡ要素１１８は、オスコネクタ１０２（図１に示す）がメスハウジング１１０のキャビティ１０６内に完全に装入されたことに応答して、ハウジング１１０に対して挿入位置（図８および図９に示す）へ動くように構成される。ＣＰＡ要素１１８は、嵌合軸１１２に対して平行である作動経路に沿って線形に動く。挿入位置にあるＣＰＡ要素１１８は、ＣＰＡ要素１１８が延長位置にあるときより、ハウジング１１０の前端１２８に近接している。たとえば、延長位置で、ベース１９０の接触部分２１１は、ハウジング１１０の後端１３０を越えて少なくとも部分的に延びることができるが、ＣＰＡ要素１１８が挿入位置にあるとき、接触部分２１１は、任意選択で、後端１３０を越えて延びない。第１のビーム１９２および第２のビーム１９４は、ベース１９０から前端１２８の方へ延びる。図示の実施形態では、第１のビーム１９２は、結合レバー１２０によって実質上覆われており、したがって第１のビーム１９２のフィンガ２０６が、第１のビーム１９２のうち唯一の見える構成要素である。
【００３２】
一実施形態では、ＣＰＡ要素１１８は、結合レバー１２０とプラットホーム１８０との間に配置される。たとえば、ＣＰＡ要素１１８の底面２２０（図３に示す）は、プラットホーム１８０の頂面１８４に係合し、作動経路に沿って、頂面１８４に沿って摺動する。ＣＰＡ要素１１８のビーム１９２、１９４は、ＣＰＡ要素１１８の延長位置および挿入位置の両方で、頂面１８４に係合することができる。第１のビーム１９２は、チャネル１８２の一方の側（たとえば、左側）で頂面１８４に沿って延び、第２のビーム１９４は、チャネル１８２の反対側（たとえば、右側）で頂面１８４に沿って延びる。
【００３３】
ビーム１９２、１９４は、ビーム１９２、１９４の阻止位置とビーム１９２、１９４の解放位置との間で撓むことができる。たとえば、ＣＰＡ要素１１８が延長位置にあり、ビーム１９２、１９４が阻止位置にあるとき、ビーム１９２、１９４の一方または両方が、ハウジング１１０から延びる対応する突出部２３２に当接するように構成される。突出部２３２は、ＣＰＡ要素１１８が延長位置から挿入位置へ動くのを機械的に阻止する。したがって、突出部２３２は、対応するビーム１９２、１９４の経路内に位置する。突出部２３２は、ハウジング１１０に固定される。突出部２３２は、ＣＰＡ要素１１８が延長位置にあるときは、対応するビーム１９２、１９４に当接することができ、またはＣＰＡ要素１１８が挿入位置へ動こうとしているとき（オスコネクタ１０２がメスコネクタ１０４に完全に嵌合されていないとき）は、突出部２３２だけがビーム１９２、１９４に接触するように、対応するビーム１９２、１９４から少なくともわずかに隔置することができる。
【００３４】
図５は、図４に示すメスコネクタ１０４の一部分の拡大斜視図である。一実施形態では、突出部２３２は、プラットホーム１８０の頂面１８４から延びる。別法として、突出部２３２は、結合レバー１２０の底面２０４、ハウジング１１０の側壁１７２、１７４の一方などから延びることができる。図示の実施形態では、突出部２３２は、頂面１８４から（仰角軸１９１に沿って）垂直方向に延びるポストである。ポスト２３２は、円筒形とすることができ、対応するビーム１９２、１９４に当接する（たとえば、直接接触する）ように構成された湾曲しているハードストップ面２３０を画定することができる。他の実施形態では、突出部２３２は、ビーム１９２、１９４が阻止位置にあるときにＣＰＡ要素１１８が挿入位置へ動くことを阻止するハードストップ面を含む、直方体、返し、突起など、他の形状およびサイズを有することができる。
図示の実施形態では、１つの突出部２３２のみを見ることができる。突出部２３２は、チャネル１８２とハウジング１１０の第１の側壁１７２との間に位置するプラットホーム１８０の右側区分２３４に配置されている。突出部２３２は、第２のビーム１９４に当接するように構成される。任意選択で、ハウジング１１０は、チャネル１８２と第２の側壁１７４との間に位置するプラットホーム１８０の左側区分２３６に配置された第２の突出部２３２Ｂ（図６に示す）をさらに含むことができる。第２の突出部２３２Ｂは、第１のビーム１９２に当接するように構成される。第２の突出部２３２Ｂは、第２のビーム１９４に当接する第１の突出部２３２Ａに同一または少なくとも類似のものとすることができる。
【００３５】
一実施形態では、ビーム１９４の遠位端２００は、右側区分２３４から延びる突出部２３２に当接するように構成される。たとえば、ビーム１９４が阻止位置にあるとき、遠位端２００のうち開口２２６に隣接している部分が、突出部２３２に係合する。したがって、ビーム１９４が阻止位置にあるとき、ビーム１９４のスロット２２２（図３に示す）への開口２２６は、突出部２３２と位置合わせされない。代替実施形態では、ビーム１９４のうち突出部２３２に係合する部分は、遠位端２００から隔置することができる。
【００３６】
一実施形態では、ビーム１９２、１９４は、オスコネクタ１０２がキャビティ１０６内へ装入されるときにオスコネクタ１０２（図１に示す）によって係合されるように構成される。オスコネクタ１０２は、ビーム１９２、１９４を阻止位置から解放位置へ撓ませる。一実施形態では、ビーム１９２、１９４は、阻止位置で、静止しているまたは付勢されていない状態とすることができ、オスコネクタ１０２により、ビーム１９２、１９４は付勢された離脱状態になり、解放位置に到達する。解放位置で、ビーム１９２、１９４は、突出部２３２のハードストップ面２３０を通り越し、それによりＣＰＡ要素１１８を延長位置から挿入位置へ動かすことが可能になる。
オスコネクタ１０２は、オスコネクタ１０２がメスコネクタ１０４に対して完全嵌合位置に到達したことに応答して、ビーム１９２、１９４を解放位置へ撓ませる。ビーム１９２、１９４は、オスコネクタ１０２がメスコネクタ１０４に完全に嵌合されるまで、解放位置を実現せず、したがってオスコネクタ１０２およびメスコネクタ１０４が完全に嵌合されるまで、ＣＰＡ要素１１８を挿入位置へ動かすことはできない。
【００３７】
一実施形態では、ＣＰＡ要素１１８のビーム１９２、１９４は、オスコネクタ１０２（図１）のタブ１２４（図１に示す）によって係合されて撓むように構成される。タブ１２４は、プラットホーム１８０のチャネル１８２を通って、少なくとも部分的にビーム１９２、１９４間の間隙１９６内へ突出する。タブ１２４は、ビーム１９２、１９４をチャネル１８２に対して横方向外方へ撓ませ、したがってビーム１９２、１９４は、互いに離れる方へ撓む。ビーム１９２、１９４は、概して横軸１９３に沿って撓むように構成することができる（ただし、ビーム１９２、１９４の撓みは弧を描きまたは湾曲しており、線形でないことが認識される）。したがって、ビーム１９２、１９４は、タブ１２４が嵌合軸１１２に沿って動くとき、嵌合軸１１２に対して略横断方向に撓む。
図示の実施形態では、ビーム１９２、１９４のアーム１９８は、チャネル１８２から横方向に隔置されており、フィンガ２０６は、アーム１９８からチャネル１８２の対応する左側縁部２３８および右側縁部２４０を越えて延び、チャネル１８２と位置合わせされている。したがって、フィンガ２０６は、横方向に延びて、チャネル１８２と位置合わせされる。オスコネクタ１０２がキャビティ１０６内に受け取られるとき、タブ１２４は、チャネル１８２を通って突出し、ビーム１９２、１９４のフィンガ２０６に係合して、ビーム１９２、１９４を阻止位置から解放位置へ撓ませる。
【００３８】
図６は、一実施形態による図２に示す線１−１に沿って切り取った組み立てられたハウジングアセンブリ１４６の断面図である。図６で、ＣＰＡ要素１１８は延長位置にある。図６は、第１のビーム１９２の遠位端２００に当接して挿入位置へのＣＰＡ要素１１８の動きを阻止する第２の突出部２３２Ｂを示す。ＣＰＡ要素１１８は、プラットホーム１８０の頂面１８４に係合し、頂面１８４に沿って摺動する。図示の実施形態に示すように、結合レバー１２０は、プラットホーム１８０から垂直方向に隔置されており、プラットホーム１８０に係合していない。ＣＰＡ要素１１８は、結合レバー１２０とプラットホーム１８０との間に配置される。
【００３９】
掛止面１２１は、支柱１３６の一方の側で、支柱１３６と前端１２８との間に配置される。一実施形態では、結合レバー１２０の掛止面１２１は、結合レバー１２０を通って画定される開口２４２の前壁である後向き表面である。結合レバー１２０のボタン区分１４５は、支柱１３６の反対側で、支柱１３６と後端１３０との間に配置される。ボタン区分１４５は、キャビティ１０６の方に向かう方向２４４に押下されて、結合レバー１２０を旋回させ、キャビティ１０６から離れる方に向かう方向２４６に掛止面１２１を持ち上げるように構成される。たとえば、図示の向きで、ボタン区分１４５は、垂直方向下方の方向２４４に押され、掛止面１２１は、垂直方向上方の方向２４６に持ち上げられる。結合レバー１２０の旋回を使用して、オスコネクタ１０２（図１）のキャッチ１２２（図１に示す）を選択的に解放することができ、オスコネクタ１０２をメスコネクタ１０４から嵌合解除しまたは切り離すことが可能になる。
【００４０】
一実施形態では、ベース１９０は、接触部分２１１に近接している台座部分２４８を含む。任意選択で、台座部分２４８は、接触部分２１１によって画定することができる。台座部分２４８は、ベース１９０の中間部２１２より垂直方向に高い。図示のように、ＣＰＡ要素１１８が延長位置にあるとき、ベース１９０の台座部分２４８は、結合レバー１２０の後方へ配置される。結合レバー１２０のボタン区分１４５は、ベース１９０の中間部２１２の上に延び、間隙２５０によって中間部２１２から垂直方向に隔置される。間隙２５０は、掛止面１２１をオスコネクタ１０２（図１）のキャッチ１２２（図１）の上に持ち上げるのに十分な距離にわたってボタン区分１４５を方向２４４に押下することを可能にするのに十分な大きさである。
ＣＰＡ要素１１８が挿入方向２５２に挿入位置へ動くとき、ベース１９０の台座部分２４８は、図９に示すように、ボタン区分１４５の下に延びる。台座部分２４８は高く、したがって間隙２５０は低減される。ボタン区分１４５を押下することで、レバー１２０の底面２０４が台座部分２４８の頂面２５４に係合し、それにより掛止面１２１をキャッチ１２２から切り離すのに必要な程度に、結合レバー１２０が旋回することが阻止される。したがって、挿入位置にあるＣＰＡ要素１１８は、ＣＰＡ要素１１８が延長位置へ動くまで、オスコネクタ１０２およびメスコネクタ１０４が互いに結合解除される可能性を防止しまたは少なくとも抑制する２次ロックを提供するように構成される。
【００４１】
図７は、オスコネクタ１０２およびメスコネクタ１０４の完全嵌合状態にあるコネクタシステム１００の一部分の斜視図である。オスコネクタ１０２がキャビティ１０６（図１に示す）内へ装入されるとき、タブ１２４は、結合レバー１２０の第１の端部１５４に係合することができる。たとえば、タブ１２４の斜面１４０は、第１の端部１５４に係合し、斜面１４０が第１の端部１５４を持ち上げるにつれて、支柱１３６の周りでレバー１２０を旋回させる。完全嵌合位置に到達すると、レバー１２０の掛止面１２１は、タブ１２４のキャッチ１２２に係合して、オスコネクタ１０２をメスコネクタ１０４に固定するように構成される。
【００４２】
オスコネクタ１０２が嵌合軸１１２に沿って動くことで、タブ１２４は、ビーム１９２、１９４間の間隙１９６内へ少なくとも部分的に延びる。タブ１２４の前縁部２５６（図１に示す）が、ビーム１９２、１９４のフィンガ２０６に係合し、ビーム１９２、１９４を外方へ撓ませる。たとえば、第２のビーム１９４は、撓み方向２５８に外方へ撓む。ビーム１９４は、アーム１９８の長さに沿って、かつ／またはアーム１９８とベース１９０との間の交差部で、撓むことができる。一実施形態では、ビーム１９４のフィンガ２０６は、導入斜面２６０を有する。タブ１２４の前縁部２５６は、斜面２６０に係合して、斜面２６０に沿って摺動し、引っ掛かりなくビーム１９４の撓み量を徐々に増大させる。ビーム１９２のフィンガ２０６は、ビーム１９４のフィンガ２０６と同一または少なくとも同様の形状とすることができる。オスコネクタ１０２が完全嵌合位置に着いた後、ビーム１９２、１９４は、解放位置に到達する。タブ１２４がキャッチ１２２と掛止面１２１との間の相互作用によって定位置で保持されるとき、タブ１２４は、ビーム１９２、１９４を解放位置で保持する。
【００４３】
解放位置で、タブ１２４がビーム１９２、１９４を撓んだ状態で保持するため、ビーム１９２、１９４は、対応する突出部２３２を迂回することが可能である。一実施形態では、ビーム１９４が解放位置にあるとき、ビーム１９４の遠位端２００にある開口２２６は、突出部２３２と位置合わせされる。したがって、ＣＰＡ要素１１８が挿入位置へ動くとき、突出部２３２は開口２２６を通ってビーム１９４のスロット２２２（図３に示す）内に受け取られるため、ビーム１９４は、突出部２３２を迂回することが可能である。代替実施形態では、ビーム１９４は、解放位置にあるビーム１９４が、突出部２３２を受け取るスロット２２２を画定するのではなく、突出部２３２から横方向に隔置されるような形状とすることもできる。
【００４４】
図７で、ＣＰＡ要素１１８はまだ延長位置にあるが、ＣＰＡ要素１１８は、挿入位置へ動くことを阻止されない。延長位置で、結合レバー１２０の頂面２０２を上から見たとき、ＣＰＡ要素１１８は、インジケータ窓１８８を通して見ることができない。たとえば、図７で、結合レバー１２０が断面で示されているが、インジケータ窓１８８を頂面２０２の上から見ると、プラットホーム１８０のうちビーム１９２、１９４間の部分が見えるはずであり、窓１８８を通してＣＰＡ要素１１８は見えないはずである。
【００４５】
図８は、ＣＰＡ要素１１８が挿入位置にある、オスコネクタ１０２およびメスコネクタ１０４の完全嵌合状態にあるコネクタシステム１００の一部分の斜視図である。図７を参照して説明したように、オスコネクタ１０２がメスコネクタ１０４に完全に嵌合された後、ＣＰＡ要素１１８は、挿入位置へ動かすことが可能であり、ビーム１９２、１９４は、解放位置へ撓む。ＣＰＡ要素１１８が人間の操作者またはロボットによってメスハウジング１１０およびタブ１２４に対して挿入方向２５２へ動かされるとき、ビーム１９４のフィンガ２０６は、タブ１２４の側壁２６２に係合し、側壁２６２に沿って摺動する。ビーム１９４は、撓んだ状態のままであり、したがってビーム１９４は、ビーム１９４の弾性的な付勢のため、タブ１２４に対して力を加える。
【００４６】
一実施形態では、フィンガ２０６は、斜面２６０の後方にフック面２６４を含む。ＣＰＡ要素１１８が挿入位置に近づくと、フック面２６４は、タブ１２４の後縁部２６６に係合することができる。たとえば、フィンガ２０６の頂点２６８が後縁部２６６を越えて延びるとき、ビーム１９４に付勢することで、ビーム１９４は、撓んでいない状態の方へ弾性的に戻り、したがってビーム１９４は、他方のビーム１９２の方へ動く（逆も同様である）。頂点２６８は、斜面２６０とフック面２６４との間に配置される。フック面２６４は、タブ１２４の後縁部２６６に係合して、ＣＰＡ要素１１８が挿入位置に到達したという感覚的な指示を提供する。たとえば、フック面２６４と後縁部２６６との間の係合は、触覚または聴覚による指示を提供することができる。フック面２６４は、ＣＰＡ要素１１８が挿入位置から延長方向２７０に延長位置の方へ意図せず摺動することを制限するソフトストップを提供することができる。フック面２６４はまた、任意選択で、タブ１２４を後方へ押しやってオスコネクタ１０２を完全嵌合位置で保持すること、および／またはオスコネクタ１０２を実質上完全嵌合位置から絶対完全嵌合位置へ引き込むことができる。
【００４７】
図８に示すように、ＣＰＡ要素１１８が挿入位置にあるとき、ＣＰＡ要素１１８は、結合レバー１２０のインジケータ窓１８８を通して見ることができる。たとえば、インジケータ窓１８８を通して、ベース１９０の一部分を見ることができる。ＣＰＡ要素１１８は、別個のまたは認識可能な色またはパターンを有することができ、したがって人間の操作者またはロボットは、窓１８８の中のＣＰＡ要素１１８を、ハウジング１１０のプラットホーム１８０（ＣＰＡ要素１１８が延長位置にあるときに窓１８８を通して見ることができる）から区別することが可能である。
【００４８】
図９は、ＣＰＡ要素１１８が挿入位置にある、メスコネクタ１０４（図１に示す）のハウジングアセンブリ１４６の一部分の断面図である。挿入位置で、ベース１９０の台座部分２４８は、ボタン区分１４５の下に延びる。台座部分２４８の頂面２５４は、レバー１２０の底面２０４に係合し、掛止面１２１（図７に示す）をキャッチ１２２（図７）から切り離すのに必要な程度に、結合レバー１２０が旋回することを機械的に阻止するように構成される。したがって、挿入位置にあるＣＰＡ要素１１８は、ＣＰＡ要素１１８が延長位置へ戻るまで、オスコネクタ１０２およびメスコネクタ１０４が互いに結合解除される可能性を防止しまたは少なくとも抑制する２次ロックを提供するように構成される。
【００４９】
図８をさらに参照すると、オスコネクタ１０２をメスコネクタ１０４から後に切り離すために、ＣＰＡ要素１１８は、接触部分２１１の前壁２７２に係合し、フック面２６４およびタブ１２４の後縁部２６６の相互作用によって提供されるソフトストップに打ち勝つのに十分な力で、ＣＰＡ要素１１８の接触部分２１１を延長方向２７０に押したり引いたりすることによって、延長方向２７０に動くように構成される。
【００５０】
図８に示すように、ＣＰＡ要素１１８の側面保持ラッチ２１４は、ハウジング１１０の側面窓２７４内に延びる。保持ラッチ２１４の遠位自由端２７６が、側面窓２７４の後壁２７８に当接して、ＣＰＡ要素１１８がハウジング１１０から結合解除されるほどＣＰＡ要素１１８が延長方向２７０に遠くに引っ張られすぎることを防止するように構成される。側面窓２７４は、任意選択で、第１の戻り止め２８０および第２の戻り止め２８２を含む。ラッチ２１４の自由端２７６は、ＣＰＡ要素１１８が延長位置にあるときは第１の戻り止め２８０内に受け取られ、ＣＰＡ要素１１８が挿入位置にあるときは第２の戻り止め２８２内に受け取られるように構成された突起２８４を含む。突起２８４が戻り止め２８０、２８２に対して動くことで、ＣＰＡ要素１１８を動かしている操作者またはロボットに、感覚フィードバック（たとえば、触覚、視覚、および／または聴覚）を提供することができる。
【００５１】
図１０は、一実施形態によって形成されたコネクタシステム１１００の斜視図である。コネクタシステム１１００は、第１の電気コネクタ１１０２および第２の電気コネクタ１１０４を含む。図示の実施形態では、嵌合動作中、第１の電気コネクタ１１０２の一部分が、第２の電気コネクタ１１０４のキャビティ１１０６内に受け取られる。より具体的には、第１のコネクタ１１０２のオスハウジング１１０８の一部分（たとえば、ノーズコーン）が、第２のコネクタ１１０４のメスハウジング１１１０によって画定されたキャビティ１１０６内に受け取られる。図１０では嵌合解除された状態で示されているが、第１のコネクタ１１０２および第２のコネクタ１１０４は、嵌合軸１１１２に沿って嵌合することができる状態である。
【００５２】
図示の実施形態では、オスコネクタ１１０２およびメスコネクタ１１０４は、同軸ケーブルなどの対応する導電ケーブルまたはワイヤ１１１４、１１１６に電気的に接続される。ケーブル１１１６は、メスコネクタ１１０４の電気コンタクト（たとえば、中心コンタクト１１５０および外側コンタクト１１５２）に電気的に終端される。オスコネクタ１１０２の電気コンタクトは、コネクタ１１０２、１１０４が嵌合されるとき、メスコネクタ１１０４の電気コンタクト１１５０、１１５２に係合する。
【００５３】
メスコネクタ１１０４のメスハウジング１１１０は、前端１１２８と後端１１３０との間に延びる。前端１１２８は、オスコネクタ１１０２の方を向いている嵌合端である。キャビティ１１０６は、メスハウジング１１１０を通って前端１１２８と後端１１３０との間に少なくとも部分的に延びる。キャビティ１１０６は、前端１１２８で開いている。メスコネクタ１１０４は、メスハウジング１１１０に取り付けられたＣＰＡ要素１１１８を含む。ＣＰＡ要素１１１８は、キャビティ１１０６内にまたはキャビティ１１０６と一列に並んで位置するのではなく、キャビティ１１０６の外方に配置される。メスコネクタ１１０４の図示の向きで、ＣＰＡ要素１１１８は、キャビティ１１０６の上に配置されている。ＣＰＡ要素１１１８は、メスハウジング１１１０に対して延長位置と挿入位置との間で可動である。図１０で、ＣＰＡ要素１１１８は延長位置にある。一実施形態では、ＣＰＡ要素１１１８の作動経路は、嵌合軸１１１２に対して平行である。挿入位置で、ＣＰＡ要素１１１８は、ＣＰＡ要素１１１８が延長位置にあるときより、メスハウジング１１１０の前端１１２８に近接している。
【００５４】
メスハウジング１１１０は、結合レバーまたはラッチ１１２０を含む。ラッチ１１２０は、ハウジング１１１０に取り付けられており、ハウジング１１１０に対して支柱１１３６の周りで旋回可能である。ラッチ１１２０は、メスコネクタ１１０４をオスコネクタ１１０２に選択的にロックするメスコネクタ１１０４の結合機構を画定する。たとえば、ラッチ１１２０は、オスコネクタ１１０２のキャッチ１１２２に係合してメスハウジング１１１０をオスハウジング１１０８に固定するように構成された掛止面１１２１を含む。ラッチ１１２０は、キャビティ１１０６に対して径方向外方へ旋回するように構成される。
ラッチ１１２０は、オスコネクタ１１０２がキャビティ１１０６内へ装入されるとき、オスハウジング１１０８との係合に応答して旋回することができ、それにより掛止面１１２１に近接しているラッチ１１２０の第１の端部またはラッチ端１１５４が持ち上げられる。追加または別法として、ラッチ１１２０は、ラッチ１１２０のボタン区分１１４５の押下によって旋回することができる。ボタン区分１１４５は、ラッチ１１２０の反対側の第２の端部１１５６に近接して配置され、支柱１１３６は、掛止面１１２１とボタン区分１１４５との間に配置される。
【００５５】
オスハウジング１１０８は、嵌合端１１３２と後端１１３４との間に延びる。オスハウジング１１０８は、嵌合端１１３２はキャビティ１１０６内に受け取られるが、後端１１３４はキャビティ１１０６に入らないように、キャビティ１１０６内に装入される。図示の実施形態では、オスハウジング１１０８は、略円筒形の形状を有するノーズコーン１１０９を含む。ノーズコーン１１０９は、ノーズコーン１１０９の外面１１２６から突出するタブ１１２４を含む。タブ１１２４は、ラッチ１１２０に係合するように構成される。タブ１１２４は、キャッチ１１２２を画定する。キャッチ１１２２は、ハウジング１１０８の後端１１３４の方を向いているタブ１１２４の背面である。タブ１１２４は、オスコネクタ１１０２が装着されるとき、ラッチ１１２０を旋回させることができる。
たとえば、タブ１１２４の頂面１１３８は、オスコネクタ１１０２が嵌合軸１１１２に沿って完全装着位置の方へ動くとき、ラッチ１１２０に係合してラッチ１１２０の旋回を徐々に増大させる斜面１１４０を画定することができる。完全装着位置で、タブ１１２４のキャッチ１１２２は、メスハウジング１１１０の掛止面１１２１に係合して、オスコネクタ１１０２をメスコネクタ１１０４に固定する。ノーズコーン１１０９は、任意選択で、外面１１２６から突出する少なくとも１つのキー突条１１４２を含むことができる。各キー突条１１４２は、キャビティ１１０６の周辺部に沿って位置する対応するキー溝１１４４内に受け取られて、嵌合中にノーズコーン１１０９がメスハウジング１１１０と適切に位置合わせされることを確実にするように構成される。
【００５６】
図１１は、一実施形態によるメスコネクタ１１０４の部分分解図である。メスコネクタ１１０４は、ハウジングアセンブリ１１４６およびコンタクトアセンブリ１１４８を含む。図示の実施形態では、ハウジングアセンブリ１１４６は分解されており、コンタクトアセンブリ１１４８はそのままである。ハウジングアセンブリ１１４６は、メスハウジング１１１０、ＣＰＡ要素１１１８、および保持クリップ１１６２を含む。保持クリップ１１６２は任意選択である。図示の実施形態では、ハウジング１１１０は、単一の一体化された構成要素である。代替実施形態では、ハウジング１１１０は、ラッチ１１２０を含む上部ハウジング部材およびキャビティ１１０６を画定する下部ハウジング部材など、複数の個別の部材からなるアセンブリとすることができる。
【００５７】
コンタクトアセンブリ１１４８は、中心コンタクト１１５０と、中心コンタクト１１５０を取り囲む誘電体１１５１と、誘電体１１５１を取り囲む外側コンタクト１１５２とを含む同軸コンタクトアセンブリとすることができる。コンタクトアセンブリ１１４８は、ケーブル１１１６の外側ジャケット１１６０の周りに圧着されたフェルール１１５８によって、ケーブル１１１６に終端される。フェルール１１５８はまた、ケーブル１１１６のケーブル編組１１６１の周りに圧着することもできる。コンタクトアセンブリ１１４８はまた、外側コンタクト１１５２を取り囲むキャビティインサート１１６４を含む。
【００５８】
メスハウジング１１１０は、ラッチ１１２０と、キャビティ１１０６を画定する本体１１７８とを含む。本体１１７８は、底壁１１７０と、第１の側壁１１７２と、反対側の第２の側壁１１７４とを含む。底壁１１７０とは反対側のハウジング１１１０の上壁１１７６は、少なくとも部分的に開いている。底壁１１７０、第１の側壁１１７２、および第２の側壁１１７４はすべて、キャビティ１１０６のそれぞれの部分を画定する。上壁１１７６は、キャビティ１１０６を少なくとも部分的に画定するプラットホーム１１８０を画定する。上壁１１７６は、上壁１１７６を通って延びるチャネル１１８２を画定する。チャネル１１８２は、ハウジング１１１０の前端１１２８で開いており、前端１１２８から長手方向後方へ延びる。チャネル１１８２は、オスハウジング１１０８（図１０）のタブ１１２４（図１０に示す）を収容するように構成される。
【００５９】
ＣＰＡ要素１１１８は、ベース１１９０と、ベース１１９０から前方へ延びる第１のビーム１１９２および第２のビーム１１９４とを含む。ベース１１９０は、略平面とすることができる。図示の実施形態では、２つのビーム１１９２、１１９４が示されているが、他の実施形態では、ＣＰＡ要素１１１８は、１つのビームのみまたは３つ以上のビームを含むこともできる。ＣＰＡ要素１１１８は、ベース１１９０の後端に隆起部１２１０を含む。隆起部１２１０は、ＣＰＡ要素１１１８を延長位置と挿入位置との間で押したり引いたりするために使用される。第１のビーム１１９２および第２のビーム１１９４は、互いに対して略平行に、ベース１１９０から概略的に同じ方向に延びる。第１のビーム１１９２および第２のビーム１１９４は、互いにかつベース１１９０と略共平面とすることができる。ビーム１１９２、１１９４は、互いに隔置され、互いの間に横方向の間隙１１９６を画定する。ビーム１１９２、１１９４は、互いに類似のものとすることができ、同様の構成要素は、同じ参照番号を使用して呼ぶことができる。
【００６０】
第１のビーム１１９２および第２のビーム１１９４は、互いを鏡のように反映した同一または少なくとも類似の形状を有することができる。たとえば、ビーム１１９２、１１９４はそれぞれ、ベース１１９０からそれぞれのビーム１１９２、１１９４の遠位端または前端１２００へ延びるアーム１１９８を含む。第１および第２のアーム１１９８は、略平面とすることができる。たとえば、各アーム１１９８は、２つの両側の広い平面と、これらの平面間に延びる２つの縁面とを含むことができる。ビーム１１９２、１１９４は、広い平面に対して平行である面に沿って撓むように構成される。例示的な実施形態では、遠位端１２００は、以下でさらに詳細に説明するように、ＣＰＡ要素１１１８がハウジング１１１０に対して前方へ動くことを阻止するために使用される当接壁１２０２を遠位端１２００に画定する垂直壁とすることができる。当接壁１２０２は、アーム１１９８の両側の縁面と広い面との間に位置する、開口またはスロットなどのない中実の壁とすることができる。
【００６１】
一実施形態では、両方のビーム１１９２、１１９４のうちの少なくとも一部分は、他方のビーム１１９２、１１９４の方へ延びる。たとえば、図示の実施形態では、各ビーム１１９２、１１９４は、それぞれのアーム１１９８の内縁部から内方へ突出するフィンガ１２０６を含む。ビーム１１９２、１１９４のフィンガ１２０６は、遠位端１２００に近接して位置することができる。フィンガ１２０６は、様々なサイズおよび／または形状の突出部とすることができる。たとえば、フィンガ１２０６は、湾曲したまたは線形の表面を有する突起、返し、リップ、レッジ、戻り止めなどとすることができる。例示的な実施形態では、フィンガ１２０６は、間隙１１９６の方を向いているフィンガ１２０６の内縁部に、先端１２０８を有する。
フィンガ１２０６は、先細りさせることができ、先端１２０８は、アーム１１９８に位置するフィンガ１２０６の根本またはベースより細くなっている。第１のビーム１１９２のフィンガ１２０６は、間隙１１９６を横切って第２のビーム１１９４のフィンガ１２０６の方へ延びる。したがって、第１のビーム１１９２と第２のビーム１１９４との間の間隙１１９６の幅は、フィンガ１２０６から隔置された場所におけるアーム１１９８間の間隙１１９６の幅に対して、フィンガ１２０６間で低減される。
【００６２】
一実施形態では、ＣＰＡ要素１１１８はまた、保持ラッチ１２１４を含む。保持ラッチ１２１４は、ベース１１９０から片持ちビーム式であり、ベース１１９０の下に延びる。保持ラッチ１２１４は、ベース１１９０の両側に設けられる。保持ラッチ１２１４は、ハウジング１１１０の上壁１１７６内に位置する溝または戻り止め１２１８内に受け取られるように構成された遠位端１２１６を有する。保持ラッチ１２１４は、異なる延長位置および挿入位置で異なる戻り止め１２１８内に受け取られるように構成される。
【００６３】
組立て中、コンタクトアセンブリ１１４８は、後端１１３０などを通ってキャビティ１１０６内へ装入される。保持クリップ１１６２は、ハウジング１１１０内へ装入されて、ハウジング１１１０内でコンタクトアセンブリ１１４８を保持する。ＣＰＡ要素１１１８は、ラッチ１１２０の下など、プラットホーム１１８０に沿って、ハウジング１１１０の頂端に結合される。
【００６４】
図１２は、一実施形態による組み立てられた状態にあるメスコネクタ１１０４の上面斜視部分断面図である。図１３は、メスコネクタ１１０４の一部分の正面図である。コンタクトアセンブリ１１４８は、ハウジングアセンブリ１１４６のキャビティ１１０６内に装入されている。ＣＰＡ要素１１１８および保持クリップ１１６２はどちらも、ハウジング１１１０に取り付けられている。図示の実施形態では、ＣＰＡ要素１１１８は延長位置にある。
【００６５】
ＣＰＡ要素１１１８は、オスコネクタ１１０２（図１０に示す）がメスハウジング１１１０のキャビティ１１０６内に完全に装入されたことに応答して、ハウジング１１１０に対して挿入位置へ動くように構成される。ＣＰＡ要素１１１８は、嵌合軸に対して平行である作動経路に沿って線形に動くように構成される。第１のビーム１１９２および第２のビーム１１９４は、ベース１１９０の前端１２１３から前端１１２８の方へ前方に延びる。
【００６６】
一実施形態では、ＣＰＡ要素１１１８は、ラッチ１１２０と上壁１１７６との間に配置される。たとえば、ＣＰＡ要素１１１８の底面は、プラットホーム１１８０に係合し、作動経路に沿って、プラットホーム１１８０に沿って摺動する。ＣＰＡ要素１１１８のビーム１１９２、１１９４は、ＣＰＡ要素１１１８の延長位置および挿入位置の両方で、プラットホーム１１８０に係合することができる。例示的な実施形態では、ビーム１１９２、１１９４は、ビーム１１９２、１１９４がオスコネクタ１１０２のタブ１１２４によって撓んでいるときなど、ビーム１１９２、１１９４がプラットホーム１１８０に対して下方へ押し付けられたままであることを確実にするために、プラットホーム１１８０に対して予圧されている。
様々な実施形態では、ビーム１１９２、１１９４は、ビーム１１９２、１１９４を上壁１１７６に対して予圧するために、互いの方へ内方に捩じれまたは回転している。ビーム１１９２、１１９４の予圧により、内部の付勢力または予圧力が生じ、ビーム１１９２、１１９４の先端１２０８が下方へ保持される。予圧力は、ビーム１１９２、１１９４がタブ１１２４によって撓んだときに、ビーム１１９２、１１９４がプラットホーム１１８０から持ち上げられるのに耐えるためなど、タブ１１２４がビーム１１９２、１１９４間に装着されているときに、タブ１１２４に対してビーム１１９２、１１９４を保持する。第１のビーム１１９２は、チャネル１１８２の一方の側（たとえば、左側）でプラットホーム１１８０に沿って延び、第２のビーム１１９４は、チャネル１１８２の他方の側（たとえば、右側）でプラットホーム１１８０に沿って延びる。
【００６７】
ビーム１１９２、１１９４は、ビーム１１９２、１１９４の阻止位置とビーム１１９２、１１９４の解放位置との間で撓むことができる。たとえば、ＣＰＡ要素１１１８が延長位置にあり、ビーム１１９２、１１９４が阻止位置にあるとき、ビーム１１９２、１１９４の一方または両方が、ハウジング１１１０の上壁１１７６から延びる対応する突出部またはポスト１２３２に当接するように構成される。ビーム１１９２、１１９４の前端１２００に位置する当接壁１２０２は、ポスト１２３２の後向き表面によって画定されるポスト１２３２のハードストップ面１２３０に当接する。ポスト１２３２は、ＣＰＡ要素１１１８が延長位置から挿入位置へ動くのを機械的に阻止する。したがって、ポスト１２３２は、対応するビーム１１９２、１１９４の経路内にあり、ＣＰＡ要素１１１８が延長位置から前方へ動くことを阻止する。ビーム１１９２、１１９４は、オスコネクタ１１０２のタブ１１２４などによって、阻止位置から解放位置へ撓ませることができる。解放位置で、ビーム１１９２、１１９４は、ポスト１２３２を通り越して通過することが可能である。
【００６８】
阻止位置で、フィンガ１２０６などのビーム１１９２、１１９４の前端１２００に位置する当接壁１２０２は、ポスト１２３２に当接し、ポスト１２３２は、ＣＰＡ要素１１１８が前方へ動くことを阻止する。一実施形態では、ポスト１２３２は、チャネル１１８２の両側１２３４、１２３６で、プラットホーム１１８０から上方へ延びる。例示的な実施形態では、ポスト１２３２は、長方形の複雑な形状を有するが、代替実施形態では、ポスト１２３２は、円筒形の形状などの均一の形状を有することができる。各ポスト１２３２は、前縁部１２３８、後縁部１２４０、内縁部１２４２、および外縁部１２４４を有する。後縁部１２４０は、ハードストップ面１２３０を画定する。内縁部１２４２は、チャネル１１８２の方を向いている。外縁部１２４４は、概して、チャネル１１８２から離れる方を向いている。
図示の実施形態では、前縁部１２３８および後縁部１２４０は湾曲している。内縁部１２４２は、略平面でありかつ垂直方向であり、チャネル１１８２と位置合わせすることができる。外縁部１２４４は、前縁部１２３８および後縁部１２４０へ遷移する平面部および中間部を有することができる。任意選択で、縁部１２３８、１２４０、１２４２、１２４４は、ＣＰＡ要素１１１８が延長位置と設置位置との間で移送されるとき、フィンガ１２０６がポスト１２３２に沿って動くのを容易にするような形状である。たとえば、縁部１２３８、１２４０、１２４２、１２４４は、ビーム１１９２、１１９４がタブ１１２４によって外方へ押されるとき、ポスト１２３２の表面に沿って先端１２０８を容易に移送することを促し、移送中に引っ掛かりまたは損傷によってビーム１１９２、１１９４に大きすぎる圧力が作用するのを低減させるように、湾曲または傾斜している。
代替実施形態では、ポスト１２３２は、他の表面または縁部を有する他の形状を有することもできる。たとえば、ポスト１２３２は、ビーム１１９２、１１９４が阻止位置にあるときにＣＰＡ要素１１１８が挿入位置へ動くことを阻止するハードストップ面を含む、直方体、返し、突起など、他の形状およびサイズを有することができる。
【００６９】
一実施形態では、ビーム１１９２、１１９４は、オスコネクタ１１０２がキャビティ１１０６内へ装入されるときにオスコネクタ１１０２（図１０に示す）によって係合されるように構成される。たとえば、タブ１１２４（図１０に示す）は、ビーム１１９２、１１９４のフィンガ１２０６に係合してビーム１１９２、１１９４を撓ませるように構成される。オスコネクタ１１０２は、ビーム１１９２、１１９４を阻止位置から解放位置へ撓ませる。一実施形態では、ビーム１１９２、１１９４は、阻止位置で、静止しているまたは付勢されていない状態とすることができ、オスコネクタ１１０２により、ビーム１１９２、１１９４は付勢された離脱状態になり、解放位置に到達する。解放位置で、ビーム１１９２、１１９４は、ポスト１２３２のハードストップ面を通り越し、それによりＣＰＡ要素１１１８を延長位置から挿入位置へ動かすことが可能になる。
オスコネクタ１１０２は、オスコネクタ１１０２がメスコネクタ１１０４に対して完全嵌合位置に到達したことに応答して、ビーム１１９２、１１９４を解放位置へ撓ませる。ビーム１１９２、１１９４は、オスコネクタ１１０２がメスコネクタ１１０４に完全に嵌合されるまで、解放位置を実現せず、したがってオスコネクタ１１０２およびメスコネクタ１１０４が完全に嵌合されるまで、ＣＰＡ要素１１１８を挿入位置へ動かすことはできない。
【００７０】
フィンガ１２０６の先端１２０８は、前縁部１２５０、後縁部１２５２、および下縁部１２５４を含む。前縁部１２５０は、相手コネクタ１１０２がキャビティ１１０６内へ装入されるとき、相手コネクタ１１０２に係合するように構成される。たとえば、前縁部１２５０は、相手コネクタ１１０２のタブ１１２４に係合するように構成される。先端１２０８の前縁部１２５０は、フィンガ１２０６の前端１２００に対して切り取られており、したがって前縁部１２５０は、前端１２００と平面ではなく、前端１２００に対して平行ではない。図示の実施形態では、前縁部１２５０は、概して内方および前方を向いており、概して下方を向くことができる。下縁部１２５４は、相手コネクタ１１０２がキャビティ１１０６内へ装入されるとき、タブ１１２４などの相手コネクタ１１０２に係合するように構成される。
下縁部１２５４は、フィンガ１２０６の底部に対して切り取られており、したがって下縁部１２５４は、底部と平面ではなく、底部に対して平行ではない。下縁部１２５４は、間隙１１９６から離れて概して下方および外方を向くことができる。後縁部１２５２は、ＣＰＡ要素１１１８が挿入位置へ動くとき、ポスト１２３２の前縁部１２３８に係合するように構成される。先端１２０８の後縁部１２４０は、斜面１２５６を含む。ポスト１２３２の前縁部１２３８は、斜面１２５６に対して相補形の角度で傾斜させることができる。斜面１２５６は、ＣＰＡ要素１１１８が挿入位置から延長位置へ後方に動くとき、アーム１１９８をポスト１２３２の前縁部１２３８に対して外方へ押すことができる。後縁部１２５２は、後縁部１２５２が非垂直になるように切り取ることができる。たとえば、後縁部１２５２は、概して後向きおよび下向きにすることができる。
【００７１】
図１４は、オスコネクタ１１０２およびメスコネクタ１１０４の完全嵌合状態にあるコネクタシステムの斜視部分断面図である。図１５は、完全嵌合状態にあるコネクタシステム１１００の一部分の拡大部分断面図である。図１６は、延長位置にあるＣＰＡ要素１１１８を示す、完全嵌合状態にあるコネクタシステム１１００の斜視図である。図１７は、延長位置にあるＣＰＡ要素１１１８を示す、完全嵌合状態にあるコネクタシステム１１００の一部分の側面図である。図１４および図１５は、延長位置にあるＣＰＡ要素および解放位置にあるビーム１１９２、１１９４を示す。
【００７２】
オスコネクタ１１０２がキャビティ１１０６内へ装入されるとき、タブ１１２４は、ラッチ１１２０のラッチ端１１５４に係合することができる。たとえば、タブ１１２４の斜面１１４０は、ラッチ端１１５４に係合し、斜面１１４０がラッチ端１１５４を持ち上げると、支柱１１３６の周りでラッチ１１２０を旋回させる。完全嵌合位置に到達すると、ラッチ１１２０の掛止面１１２１は、タブ１１２４のキャッチ１１２２に係合してオスコネクタ１１０２をメスコネクタ１１０４に固定するように構成される。
【００７３】
一実施形態では、ＣＰＡ要素１１１８のビーム１１９２、１１９４は、オスコネクタ１１０２（図１０）のタブ１１２４（図１０に示す）によって係合されて撓むように構成される。タブ１１２４は、上壁１１７６のチャネル１１８２を通って、少なくとも部分的にビーム１１９２、１１９４間の間隙１１９６内へ突出する。タブ１１２４は、ビーム１１９２、１１９４をチャネル１１８２に対して横方向外方へ撓ませ、したがってビーム１１９２、１１９４は、互いに離れる方へ撓む。図示の実施形態では、ビーム１１９２、１１９４のアーム１１９８は、チャネル１１８２から横方向に隔置され、フィンガ１２０６は、アーム１１９８からチャネル１１８２の上へ延びる。オスコネクタ１１０２がキャビティ１１０６内に受け取られるとき、タブ１１２４は、チャネル１１８２を通って突出し、ビーム１１９２、１１９４のフィンガ１２０６に係合して、ビーム１１９２、１１９４を阻止位置から解放位置へ撓ませる。
【００７４】
オスコネクタ１１０２が嵌合軸に沿って動くことで、タブ１１２４は、ビーム１１９２、１１９４間の間隙１１９６内へ少なくとも部分的に延びる。斜面１１４０によって画定されるタブ１１２４の前縁部１２６０が、ビーム１１９２、１１９４のフィンガ１２０６に係合し、ビーム１１９２、１１９４を外方へ撓ませる。一実施形態では、ビーム１１９２、１１９４のフィンガ１２０６は、フィンガ１２０６の斜面１２５６を画定する導入前縁部１２５０を有する。タブ１１２４の前縁部１２６０は、前縁部１２５０に係合して、前縁部１２５０に沿って摺動し、引っ掛かりなくビーム１１９２、１１９４の撓み量を徐々に増大させる。オスコネクタ１１０２が完全嵌合位置に着いた後、ビーム１１９２、１１９４は、解放位置に到達する。たとえば、フィンガ１２０６の先端１２０８の内縁部１２６２が、タブ１１２４の前縁部１２６０を通り越し、タブ１１２４の側面１２６４、１２６６に係合する。タブ１１２４がキャッチ１１２２と掛止面１１２１との間の相互作用によって定位置で保持されるとき、タブ１１２４は、ビーム１１９２、１１９４を解放位置で保持する。
【００７５】
解放位置で、タブ１１２４がビーム１１９２、１１９４を撓んだ状態で保持するため、ビーム１１９２、１１９４は、対応するポスト１２３２を迂回することが可能である。たとえば、フィンガ１２０６の先端１２０８は、ポスト１２３２の後縁部１２４０によって画定されるハードストップ面の外側に動かして、フィンガ１２０６がポスト１２３２を迂回することを可能にすることができる。フィンガ１２０６の先端１２０８は、ＣＰＡ要素１１１８が延長位置から挿入位置へ前方に摺動すると、ポスト１２３２に沿って進むことができる。たとえば、フィンガ１２０６の傾斜した前縁部１２５０は、ポスト１２３２の湾曲または傾斜した後縁部１２４０に係合し、後縁部１２４０に沿って進むことができ、それによりフィンガ１２０６の先端１２０８の内縁部１２６２は、後縁部１２４０を通り越し、外縁部１２４４に沿って進み始め、最終的に前縁部１２３８を通り越すことができる。
【００７６】
一実施形態では、延長位置で、ＣＰＡ要素１１１８の保持ラッチ１２１４は、ハウジング１１１０の上壁１１７６内の後方戻り止め１２１８内に受け取られる。保持ラッチ１２１４は、ＣＰＡ要素１１１８を延長位置で保持するためのある程度の保持力を提供する。ビーム１１９２、１１９４がポスト１２３２を通り越した後、ＣＰＡ要素１１１８を挿入位置へ動かすために、保持力に打ち勝つことができる。例示的な実施形態では、ハウジング１１１０は、保持ラッチ１２１４の後方に、ＣＰＡ要素１１１８が延長位置を越えて後方へ動くのを止めるハードストップ１２７０を含む。
【００７７】
延長位置で、ＣＰＡ要素１１１８のラッチブロック１２７２は、ラッチ１１２０の後方に位置決めされる。ラッチブロック１２７２がラッチ１１２０の後方で非阻止位置にあるとき、ラッチ１１２０を下方へ押すことが可能である。
【００７８】
図１８は、挿入位置にあるＣＰＡ要素１１１８を示す、オスコネクタ１１０２およびメスコネクタ１１０４の完全嵌合状態にあるコネクタシステム１１００の斜視図である。図１９は、挿入位置にあるＣＰＡ要素１１１８を示す、完全嵌合状態にあるコネクタシステム１１００の一部分の側面図である。図１４および図１５を参照して説明したように、オスコネクタ１１０２がメスコネクタ１１０４に完全に嵌合された後、ＣＰＡ要素１１１８は、挿入位置へ動かすことが可能であり、ビーム１１９２、１１９４は、解放位置へ撓む。ＣＰＡ要素１１１８が人間の操作者またはロボットによってメスハウジング１１１０およびタブ１１２４に対して挿入方向（たとえば、前方）へ動かされるとき、ビーム１１９２、１１９４のフィンガ１２０６は、ポスト１２３２の外縁部１２４４に係合し、外縁部１２４４に沿って摺動する。
ＣＰＡ要素１１１８が挿入位置へ動くとき、ビーム１１９２、１１９４は、撓んだ状態のままであり、ビーム１１９２、１１９４は、外縁部１２４４に沿って進む。フィンガ１２０６がポスト１２３２を通り越し、ポスト１２３２の前方に着いた後、フィンガ１２０６は、ポスト１２３２の前縁部１２３８の周りに再び閉じる。ＣＰＡ要素１１１８が挿入位置に近づくにつれて、先端１２０８は、ポスト１２３２の周りに閉じ、ポスト１２３２の前縁部１２３８に係合する。
【００７９】
挿入位置で、フィンガ１２０６は、ポスト１２３２の前方に位置する。フィンガ１２０６の後縁部１２５２は、ポスト１２３２の前縁部１２３８に係合する。後縁部１２５２は、タブ１１２４の前方に位置し、タブ１１２４を阻止する。ビーム１１９２、１１９４がポスト１２３２を通り越した後、ビーム１１９２、１１９４に付勢することで、ビーム１１９２、１１９４は、撓んでいない状態の方へ弾性的に戻り、したがってビーム１１９２、１１９４は、互いの方へ動く。フィンガ１２０６は、ＣＰＡ要素１１１８が挿入位置から延長方向に延長位置の方へ意図せず摺動することを制限するソフトストップを提供する。フィンガ１２０６はまた、任意選択で、タブ１１２４を後方へ押しやってオスコネクタ１１０２を完全嵌合位置で保持すること、および／またはオスコネクタ１１０２を実質上完全嵌合位置から絶対完全嵌合位置へ引き込むことができる。
【００８０】
例示的な実施形態では、挿入位置で、ＣＰＡ要素１１１８の保持ラッチ１２１４は、ハウジング１１１０の上壁１１７６内の前方戻り止め１２１８内に受け取られる。保持ラッチ１２１４は、ＣＰＡ要素１１１８を挿入位置で保持するためのある程度の保持力を提供する。ＣＰＡ要素１１１８を再び延長位置へ動かすために、保持力に打ち勝つことができる。例示的な実施形態では、ハウジング１１１０は、隆起部１２１０の前方に、ＣＰＡ要素１１１８が挿入位置を越えて前方へ動くのを止めるハードストップ１２７４を含む。
【００８１】
挿入位置で、ＣＰＡ要素１１１８のラッチブロック１２７２は、ラッチ１１２０の作動を阻止するために、ラッチ１１２０の下に位置決めされる。たとえば、ラッチブロック１２７２は、掛止面１１２１をタブ１１２４のキャッチ１１２２から切り離すのに必要な程度に、ラッチ１１２０が旋回することを機械的に阻止するために、ボタン区分１１４５の下に位置決めされる。したがって、挿入位置にあるＣＰＡ要素１１１８は、ＣＰＡ要素１１１８が延長位置に戻るまで、オスコネクタ１１０２およびメスコネクタ１１０４が互いに結合解除される可能性を防止しまたは少なくとも抑制する２次ロックを提供するように構成される。
【００８２】
オスコネクタ１１０２をメスコネクタ１１０４から後に切り離すために、ＣＰＡ要素１１１８は、つめ１２１４によって提供されるソフトストップおよび／またはポスト１２３２の前方に位置するフィンガ１２０６によって提供されるソフトストップに打ち勝つのに十分な力で、隆起部１２１０を押したり引いたりすることなどによって、設置位置から延長位置へ後方に動くように構成される。ＣＰＡ要素１１１８が後方へ動くとき、後縁部１２５２に位置する斜面１２５６は、ポスト１２３２の前縁部１２３８に押し付けられる。ポスト１２３２の前縁部１２３８の傾斜により、ビーム１１９２、１１９４は外方へ撓む。たとえば、前縁部１２３８は、アーム１１９８を外方へ押すように、斜面１２５６に対して相補形の角度で傾斜させることができる。
【００８３】
図２０Ａ〜２０Ｆは、例示的な実施形態によってＣＰＡ要素１１１８を延長位置（図２０Ａ）から挿入位置（図２０Ｆ）へ動かす挿入シーケンスを示す。図２０Ａは、延長位置にあるＣＰＡ要素１１１８および阻止位置にあるビーム１１９４を示す。前端１２００に位置する当接壁１２０２は、ポスト１２３２の後縁部１２４０に係合する。ポスト１２３２は、ＣＰＡ要素１１１８が設置位置の方へ前方に動くことを阻止する。ビーム１１９４が解放位置へ動くまで、ＣＰＡ要素１１１８は、前方へ動くことが阻止される。
【００８４】
図２０Ｂは、電気コネクタ１１０４内へ装入されている相手コネクタ１１０２を示す。タブ１１２４は、チャネル１１８２内に受け取られた状態で示されている。相手コネクタ１１０２が電気コネクタ１１０４に嵌合されるとき、タブ１１２４は、嵌合方向に後方へ動かされる。図２０Ｂは、タブ１１２４がまだビーム１１９４に係合していないまたはビーム１１９４を撓ませていないときに電気コネクタ１１０４と部分的に嵌合された相手コネクタ１１０２を示す。
【００８５】
図２０Ｃは、電気コネクタ１１０４と完全に嵌合された相手コネクタ１１０２を示す。完全に嵌合されたとき、タブ１１２４は、ビーム１１９４に係合し、ビーム１１９４を解放位置へ外方に撓ませる。タブ１１２４が嵌合方向に前進すると、斜面１１４０は、フィンガ１２０６の前縁部１２５０に係合する。前縁部１２５０は傾斜しているため、タブ１１２４は、フィンガ１２０６に沿って摺動し、フィンガ１２０６は解放位置へ外方に動かされる。解放位置で、フィンガ１２０６の前縁部１２５０は、ポスト１２３２の後縁部１２４０と位置合わせされ、後縁部１２４０に当接する。当接壁１２０２は、ポスト１２３２に当接しなくなり、ポスト１２３２の側面などへポスト１２３２を通り越す。
【００８６】
図２０Ｄは、延長位置から挿入位置へ前進しているＣＰＡ要素１１１８を示す。ＣＰＡ要素１１１８は、前方へ押されて、ポスト１２３２に沿って摺動する。ポスト１２３２の湾曲した後縁部１２４０およびフィンガ１２０６の傾斜した前縁部１２５０により、引っ掛かりなく相対的な動きが可能になる。ポスト１２３２は、ビーム１１９４をタブ１１２４から離れてさらに外方へ撓ませる。フィンガ１２０６の先端１２０８の内縁部１２６２は、ポスト１２３２の外縁部１２４４に沿って進む。
【００８７】
図２０Ｅは、延長位置から挿入位置へ前進しているＣＰＡ要素１１１８を示す。図２０Ｅは、ポスト１２３２の外縁部１２４４を通り越してポスト１２３２の前縁部１２３８に沿って摺動し始めたフィンガ１２０６の先端１２０８を示す。フィンガ１２０６の後縁部１２５２は、ポスト１２３２の前縁部１２３８に係合する。ＣＰＡ要素１１１８が挿入位置の方へ引き続き前進すると、ビーム１１９４は内方へ後退することが可能である。ＣＰＡ要素１１１８が挿入位置に近づくと、先端１２０８は、ポスト１２３２の周りに閉じ、ポスト１２３２の前縁部１２３８に係合する。
【００８８】
図２０Ｆは、挿入位置にあるＣＰＡ要素１１１８を示す。挿入位置で、フィンガ１２０６は、ポスト１２３２の前方に位置する。フィンガ１２０６の後縁部１２５２は、ポスト１２３２の前縁部１２３８に係合する。後縁部１２５２は、タブ１１２４の前方に位置し、タブ１１２４を阻止する。ビーム１１９４に付勢することで、ビーム１１９４は、撓んでいない状態の方へ弾性的に戻り、したがってビーム１１９４は、チャネル１１８２の方へ内方に動く。フィンガ１２０６は、ＣＰＡ要素１１１８が挿入位置から延長方向に延長位置の方へ意図せず摺動することを制限するソフトストップを提供する。フィンガ１２０６はまた、任意選択で、タブ１１２４を後方へ押しやってオスコネクタ１１０２を完全嵌合位置で保持すること、および／またはオスコネクタ１１０２を実質上完全嵌合位置から絶対完全嵌合位置へ引き込むことができる。
【００８９】
ＣＰＡ要素１１１８を延長位置へ後に戻すために、ＣＰＡ要素１１１８は、ＣＰＡ要素１１１８とハウジング１１１０との間の保持力に打ち勝つのに十分な力で、ＣＰＡ要素１１１８を押したり引いたりすることなどによって、設置位置から延長位置へ後方に動くように構成される。ＣＰＡ要素１１１８が後方へ動くとき、フィンガ１２０６の後縁部１２５２に位置する斜面１２５６は、ポスト１２３２の前縁部１２３８に押し付けられる。ポスト１２３２の前縁部１２３８の傾斜により、先端１２０８がポスト１２３２の後方に着くまで、ビーム１１９４は外方へ撓み、外縁部１２４４に沿って摺動する。そのような位置で、タブ１１２４は、ビーム１１９４が阻止位置へ完全に戻るのを止めるはずであるが、オスコネクタ１１０２が取り外された後、ビーム１１９４は阻止位置（図２０Ａ）へ戻るはずである。
【００９０】
上記の説明は、限定ではなく例示を意図するものであることを理解されたい。たとえば、前述の実施形態（および／またはそれらの態様）は、互いに組み合わせて使用することができる。加えて、特定の状況または材料を本発明の教示に適合させるために、その範囲から逸脱することなく、多くの修正を加えることができる。本明細書に記載する寸法、材料のタイプ、様々な構成要素の向き、ならびに様々な構成要素の数および位置は、特定の実施形態のパラメータを定義することを意図するものであり、何ら限定的ではなく、単に例示的な実施形態である。特許請求の範囲の精神および範囲内の多くの他の実施形態および修正形態は、上記の説明を読めば、当業者には明らかであろう。したがって、本発明の範囲は、添付の特許請求の範囲を参照して、そのような特許請求の範囲に与えられる完全な均等物の範囲とともに決定されるべきである。
【図１】
2019509616.tif 000003
【図２】
2019509616.tif 000004
【図３】
2019509616.tif 000005
【図４】
2019509616.tif 000006
【図５】
2019509616.tif 000007
【図６】
2019509616.tif 000008
【図７】
2019509616.tif 000009
【図８】
2019509616.tif 000010
【図９】
2019509616.tif 000011
【図１０】
2019509616.tif 000012
【図１１】
2019509616.tif 000013
【図１２】
2019509616.tif 000014
【図１３】
2019509616.tif 000015
【図１４】
2019509616.tif 000016
【図１５】
2019509616.tif 000017
【図１６】
2019509616.tif 000018
【図１７】
2019509616.tif 000019
【図１８】
2019509616.tif 000020
【図１９】
2019509616.tif 000021
【図２０Ａ】
2019509616.tif 000022
【図２０Ｂ】
2019509616.tif 000023
【図２０Ｃ】
2019509616.tif 000024
【図２０Ｄ】
2019509616.tif 000025
【図２０Ｅ】
2019509616.tif 000026
【図２０Ｆ】
2019509616.tif 000027
【国際調査報告】
2019509616.tif 000028
2019509616.tif 000029